(57)【要約】【課題】スプリンクラーヘッドの作動時に発生する電気製品の損傷を軽減する【解決手段】住戸など防護区画に設置され火災報知設備はた火災感知器２０を住戸受信機１８から引き出された感知器回線９に接続して防護区画の火災を監視する。スプリンクラー制御盤１６は、火災報知設備の火災信号と流水検知装置８の流水検知信号に基づき、スプリンクラーヘッド１０への消火用水の供給と停止を制御する。電源遮断部２３は、スプリンクラーヘッド１０の作動による流水検知装置８からの流水検知信号を受けた際に、住戸配電設備２２において防護区画に対する商用電源の供給を遮断する。【選択図】      図１
2004283286.tif 000002
【特許請求の範囲】
【請求項１】
防護区画に配置されたスプリンクラーヘッドと、
前記スプリンクラーヘッドの作動による消火用水の流水を検知して流水検知信号を出力する流水検知装置と、
前記流水検知装置の流水検知信号を受信する制御盤と、
を備えたスプリンクラー消火設備に於いて、
前記流水検知装置からの流水検知信号を受けた際に、前記防護区画に対する商用電源の供給を遮断する電源遮断部を設けたことを特徴とするスプリンクラー消火設備。
【請求項２】
防護区画に配置され、作動時に作動したことを外部出力するスプリンクラーヘッドと、
前記スプリンクラーヘッドの作動信号を受信する制御盤と、
を備えたスプリンクラー消火設備に於いて、
前記スプリンクラーヘッドの作動信号を受けた際に、前記防護区画に対する商用電源の供給を遮断する電源遮断部を設けたことを特徴とするスプリンクラー消火設備。
【請求項３】
請求項１又は２記載のスプリンクラー消火設備に於いて、前記電源遮断部は、前記スプリンクラーヘッドの作動中に電源供給を必要とする機器を接続した電源系統を除く電源系統の電源供給を遮断することを特徴とするスプリンクラー消火設備。
【請求項４】
請求項１又は２記載のスプリンクラー消火設備に於いて、防護区画の火災を監視する火災報知設備の火災受信盤及び前記制御盤が防護区画外から専用の電源供給を受けている場合、前記電源遮断部は、防護区画に対する全ての電源供給を遮断することを特徴とするスプリンクラー消火設備。
【発明の詳細な説明】
【０００１】
【発明の属する技術分野】
本発明は、火災発生時にスプリンクラーヘッドから消火用水を放水するスプリンクラー消火設備に関し、特に集合住宅の各住戸を一つの防護区画として放水を制御するスプリンクラー消火設備に関する。
【０００２】
【従来の技術】
従来のスプリンクラー消火設備は、定常監視状態では給水本管に設けた制御弁を開状態としてスプリンクラーヘッドに消火用水を供給し、火災によるスプリンクラーヘッドの作動による放水で流れる流水を流水検知装置により検知された際に、火災感知器が火災を検知していれば制御弁の開状態を維持し、作動したスプリンクラーヘッドに消火用水を供給して放水させている。
【０００３】
一方、スプリンクラーヘッドに物が当たるなどして誤動作した時は、火災が検知されていないことを条件にスプリンクラーヘッドの誤作動と判断して制御弁を閉状態に制御し、スプリンクラーヘッドからの放水を停止させ、水損を軽減するようにしている。
【０００４】
【特許文献１】
特開２０００−２７９５４２号公報
【特許文献２】
特開２００２−０３５１５７号公報
【０００５】
【発明が解決しようとする課題】
しかしながら、このような従来のスプリンクラー消火設備にあっては、スプリンクラーヘッドの誤作動を判断してから制御弁が開状態から閉状態になるのに数秒程度の時間がかかるため、その間にある程度の水がスプリンクラーヘッドから放水され、放水された水が通電状態にある電気製品にかかると、電気製品を破壊してしまうことがあり、水損被害が拡大する問題がある。
【０００６】
また火災時にあっては、火災信号によって制御弁が開状態に制御されてスプリンクラーヘッドからの放水が継続されるが、この場合にも放水された水が通電状態にある電気製品にかかって破壊させることがあり、消火による散水被害が拡大してしまう問題がある。
【０００７】
本発明は、スプリンクラーヘッドの作動時に発生する電気製品の損傷を軽減するスプリンクラー消火設備を提供することを目的とする。
【０００８】
【発明が解決しようとする課題】
この目的を達成するため本発明は次のように構成する。まず本発明は、防護区画に配置されたスプリンクラーヘッドと、スプリンクラーヘッドの作動による消火用水の流水を検知して流水検知信号を出力する流水検知装置と、流水検知装置の流水検知信号を受信する制御盤とを備えたスプリンクラー消火設備を対象とする。
【０００９】
このようなスプリンクラー消火設備につき本発明は、流水検知装置からの流水検知信号を受けた際に、防護区画に対する商用電源の供給を遮断する電源遮断部を設けたことを特徴とする。
【００１０】
このためスプリンクラーヘッドの誤作動あるいは火災による作動で流水検知装置から流水検知信号が得られると、防護区画に対する商用ＡＣ１００ＶやＡＣ２００Ｖの電源供給が遮断されて電気製品に対する通電が解除され、通電状態で水がかかることによる電気製品の破壊を未然に防止する。
【００１１】
また本発明は、防護区画に配置され、作動時に作動したことを外部出力するスプリンクラーヘッドと、スプリンクラーヘッドの作動信号を受信する制御盤とを備えたスプリンクラー消火設備を対象とし、スプリンクラーヘッドの作動信号を受けた際に、防護区画に対する商用電源の供給を遮断する電源遮断部を設けたことを特徴とする。
【００１２】
この場合にもスプリンクラーヘッドの作動信号が得られると、防護区画に対する商用ＡＣ１００ＶやＡＣ２００Ｖの電源供給が遮断されて電気製品に対する通電が解除され、通電状態で水がかかることによる電気製品の破壊を未然に防止する。
【００１３】
ここで、電源遮断部は、スプリンクラーヘッドの作動中に電源供給を必要とする機器を接続した電源系統を除く電源系統の電源供給を遮断する。なお、スプリンクラーヘッドの作動中に電源供給を必要とする機器としては防護区画に設置している火災受信盤があり、この電源系統は遮断されない。
【００１４】
また火災受信盤及びスプリンクラー制御盤が防護区画外から専用の電源供給を受けている場合、電源遮断部は、防護区画に対する全ての電源供給を遮断する。
【００１５】
【発明の実施の形態】
図１は本発明によるスプリンクラー消火設備の説明図であり、この実施形態にあっては集合住宅に設置した場合を例にとっている。
【００１６】
図１において建物の地下には消火ポンプ１及びモータ２が設置され、ポンプ制御盤１５によるモータ２の駆動により消火ポンプ１を運転し、水源水槽３の消火用水を建物の垂直方向に配管した給水本管４に加圧供給している。
【００１７】
建物の屋上には高架水槽５が設置され、給水本管に常時消火用水を充満させている。また給水本管４に圧力タンク１３が分岐接続され、管内圧力の導入による内部空気の圧縮で給水本管の圧力を規定圧力に保持している。圧力タンク１３には圧力スイッチ１４が設けられ、スプリンクラーヘッド１０の作動によって管内圧力が規定圧力以下に低下するとオンし、ポンプ制御盤１５によりモータ２を起動する。
【００１８】
給水本管４からは建物の階ごとに分岐管６が引き出され、更に住戸ごとの分岐管６ａに分岐される。住戸ごとの分岐管６ａには流水検知装置８と制御弁７が設けられる。制御弁７の二次側の配管には閉鎖型のスプリンクラーヘッド１０が接続され、更に末端試験弁１１及びオリフィス１２を介して排水管に接続されている。
【００１９】
流水検知装置８は流水検知スイッチを内蔵しておりスプリンクラーヘッド１０の作動による流水で弁を開放したときの圧力低下に基づき、流水検知信号Ｅ１をオンする。制御弁７はモータ駆動により開閉できる電動弁を使用しており、定常監視状態では開状態におかれている。制御弁７の二次側に設けた圧力スイッチ１７は二次側配管の圧力が規定圧力以上の時に圧力検知信号Ｅ４をオンする。
【００２０】
制御弁７には並列にバイパス弁７ａが接続され、制御弁７が制御不能となった場合、バイパス弁７ａの手動による開閉操作で消火用水の供給停止ができるようにしており通常は閉じている。
【００２１】
制御弁７は住戸単位となる防護区画ごとに設けられたスプリンクラー制御盤１６により制御される。スプリンクラー制御盤１６に対しては流水検知装置８からの流水検知信号Ｅ１と住戸ごとに設けている住戸受信機１８からの火災信号Ｅ２と障害信号Ｅ５が入力される。
【００２２】
住戸受信機８からは防護区画に感知器回線９が引き出され、感知器回線９に住戸内に設置された火災感知器２０が接続されている。住戸受信機１８は火災感知器２０の火災発報を受信するとスプリンクラー制御盤１６に対し火災信号Ｅ２を出力し、更に所定時間継続して火災発報が受信された際に住棟受信機２１に対し火災確定信号を送って、警報表示できるようにしている。
【００２３】
スプリンクラー制御盤１６に対する電源供給はポンプ制御盤１５に対する商用ＡＣ１００Ｖの電源線を各階ごとに設けることで行っている。一方、各住戸の住戸受信機１８については各住戸に設けている住戸配電設備２２による商用ＡＣ１００Ｖの電源供給が行われている。もちろん住戸受信機１８についてもスプリンクラー制御盤１６と同様ポンプ制御盤１５側からの商用ＡＣ１００Ｖの電源供給とするようにしてもよい。
【００２４】
ここでスプリンクラー制御盤１６による制御弁７の制御の基本的な処理は次のようになる。まず定常監視状態においてスプリンクラー制御盤１６は制御弁７を開状態とし、スプリンクラーヘッド１０に消火用水を供給している。火災によるスプリンクラーヘッド１０の作動で消火用水が散水されると流水検知装置８からの流水検知信号Ｅ１がオンとなり、このとき住戸受信機１８からの火災信号Ｅ２または障害信号Ｅ５があれば制御弁７の制御を維持する。
【００２５】
一方、流水検知信号Ｅ１がオンとなったときに住戸受信機１８からの火災信号Ｅ２または障害信号Ｅ５のいずれも無いときにはスプリンクラーヘッド１０の誤作動が考えられるので制御弁７を閉状態に制御して消火用水の供給を停止するようにしている。
【００２６】
このようなスプリンクラー消火設備について本発明にあっては、更に住戸配電設備２２に電源遮断部２３を設け、流水検知装置８からの流水検知信号Ｅ１がオンとなったとき、電源遮断部２３を作動して、住戸内に対する商用ＡＣ１００Ｖの電源供給を遮断し、作動したスプリンクラーヘッド１０からの散水によって通電中の電気製品に水がかかっても故障がおきにくいようにしている。
【００２７】
図２は図１の住戸側をとりだして更に詳細に示している。
【００２８】
図２においてスプリンクラー制御盤１６には制御回路２４が設けられ、制御回路２４に対し流水検知装置８からの流水検知信号Ｅ１、住戸受信機１８からの火災信号Ｅ２と障害信号Ｅ５を入力し、これらに基づいた制御処理により制御弁７に対する開状態または閉状態とする制御信号Ｅ３を出力している。
【００２９】
住戸受信機１８は火災感知器２０で火災検出が行われた時に感知器回線９を低インピーダスに短絡することにより流れる発報電流を受信し、住戸受信機１８で火災警報を行い、図示しない住戸表示機に表示するとともに図１に示した住棟受信機２１に予報して表示する。
【００３０】
また住戸受信機１８は感知器回線９の断線を監視しており、断線を検出するとスプリンクラー制御盤１６に対し、障害信号Ｅ５を移報する。この断線回線のため住戸受信機１８がスプリンクラー制御盤１６に引き込まれ、その手前で終端抵抗２５を接続している。
【００３１】
更にスプリンクラー制御盤１６には緊急停止スイッチ２７が設けられ、スプリンクラーヘッド１０の破損などの誤動作時に制御弁７を強制的に閉鎖状態に制御できるようにしている。
【００３２】
図３は図１の住戸配電設備２２の実施形態であり、この実施形態において電源遮断部２３は住戸配電設備２２の電源供給系統に分けて電源を遮断する実施形態を例にとっている。
【００３３】
図３において住戸配電設備２２はブレーカパネル３２を備え、ブレーカパネル３２に対しては外部より商用ＡＣ１００ＶやＡＣ２００Ｖが引き込まれ、メインブレーカ２９の二次側をこの例では二系統に分け、それぞれブレーカ３０ａ，３０ｂを設けている。ブレーカ３０ａの系統の電源線にはスプリンクラー消火設備における住戸受信機１８が接続されて電源供給を受けている。また照明３３や住戸の室内に設置されているコンセント３４が接続される。一方、ブレーカ３０ｂの系統の電源線にはコンセント３４を介してエアコン３５やＴＶ３６が接続されている。
【００３４】
ここでブレーカ３０ａの系統はそこにスプリンクラー制御盤１６に火災信号を送る住戸受信機１８が接続されて電源供給を受けているためスプリンクラーヘッドが作動した際にも電源供給を遮断することのできない系統である。これに対し、ブレーカ３０ｂの系統についてはスプリンクラー消火設備における機器の接続がなく、この系統はスプリンクラーヘッドが作動して散水された際に電源を遮断することのできる系統である。このため図３の実施形態にあってはブレーカ３０ｂの二次側に本発明の電源遮断部２３を設けている。電源遮断部２３は電源遮断リレー２８とそのリレー接点２８ａ，２８ｂで構成され、電源遮断リレー２８は流水検知装置８の流水検知スイッチ８ａに接続されている。尚、流水検知装置８は流水検知スイッチ８ａ以外に連動する流水検知スイッチを持っており、これにより図１における流水検知信号Ｅ１をオンオフさせている。
【００３５】
このような流水検知装置８の流水検知スイッチ８ａにより作動する電源遮断リレー２８を備えた電源遮断部２３を住戸配電設備２２に設けておくことで住戸内に設置しているスプリンクラーヘッド１０が誤作動により作動した場合、或いは火災により作動した場合のいずれについても作動したスプリンクラーヘッド１０に対する流水で流水検知装置８の流水検知スイッチ８ａがオンすると、電源遮断リレー２８が作動してそのリレー接点２８ａ，２８ｂを開き、ブレーカ３０ｂの二次側の系統に対する電源供給を遮断し、エアコン３５やＴＶ３６にスプリンクラーヘッドから水が散水されても通電状態を遮断しておくことで水がかかる回路の損傷を防ぐようにしている。
【００３６】
図４は本発明の電源遮断部２３を設けた住戸配電設備２２の他の実施形態であり、この実施形態にあっては全系統の電源を遮断するようにしたことを特徴とする。
【００３７】
図４において、住戸配電設備２２のブレーカパネルは図３の実施形態と同様メインのブレーカ２９の二次側をブレーカ３０ａ，３０ｂの二系統に分けて電源供給を行っているが、スプリンクラー制御盤１６や住戸受信機１８はブレーカパネル３２からの電源供給によらず、図１に示したポンプ制御盤１５や別系統の非常電源設備からの商用ＡＣ１００Ｖの供給を受けられるようにしている。このためブレーカパネル３２からの二系統の電源線については全て電源供給を遮断してもスプリンクラー消火設備側に影響を及ぼすことは無い。そこでブレーカパネル３２に設けられた本発明による電源遮断部２３は電源遮断リレー２８のリレー接点をメインブレーカ２９の二次側にそのリレー接点２８ａ，２８ｂを設けており、流水検知装置８の流水検知スイッチ８ａがオンした時の電源遮断リレー２８の作動でリレー接点２８ａ，２８ｂを開き、ブレーカ３０ａ，３０ｂの全系統に対する電源供給を遮断できるようにしている。
【００３８】
図５はスプリンクラー制御盤１６で電源遮断を制御する本発明の他の実施形態の説明図である。図３及び図４の実施形態にあっては流水検知装置８に設けた流水検知スイッチ８ａのオンにより直接ブレーカパネル３２の電源遮断部２３を制御しているが、これに加えてスプリンクラー制御盤１６の制御回路２４に流水検知装置８からの流水検知信号Ｅ１のオンに基づいて、ブレーカパネル３２の電源遮断リレー２８を作動する制御機能を設けてもよい。即ち、スプリンクラー制御盤１６の制御回路２４は流水検知装置８からの流水検知信号Ｅ１がオンすると、制御弁７の制御に加え、図示していない住戸配電設備に設けている電源遮断部２３に対し制御信号を出力して住戸内に対する商用ＡＣ１００Ｖの電源供給を遮断させるようにしている。またこの実施形態では図４と同様住戸受信機１８に対する電源供給はスプリンクラー制御盤１６と同じく端子ボックス４０により図１のポンプ制御盤１５からのＡＣ１００Ｖの電源線に接続して電源供給を受けることで、住戸配電設備２２側についた全系統について電源遮断ができるようにしている。更に図５の実施形態にあっては住戸受信機１８にも電源遮断スイッチ３７が設けられ、スプリンクラーヘッド１０の誤作動時や火災による作動時に住人が電源遮断スイッチ３７をオン操作することで電源遮断信号Ｅ６をスプリンクラー制御盤１６の制御回路２４に出力し、流水検知信号Ｅ１がオンしていなくても強制的に住戸内に対する商用ＡＣ１００Ｖの電源供給を遮断できるようにしている。
【００３９】
図６は電源遮断制御を含む図５のスプリンクラー制御盤による制御処理のフローチャートである。尚、図６のフローチャートにあっては流水検知信号Ｅ１、火災信号Ｅ２、障害信号Ｅ５の有無をチェックして制御を行っているが、この場合の信号有りは信号のオンを意味し、また信号無しは信号のオフを意味する。
【００４０】
図６においてスプリンクラー制御盤５はステップＳ１で流水検知装置８からの流水検知信号Ｅ１の有無をチェックしている。定常監視状態では流水検知信号Ｅ１は無いことからステップＳ２で制御弁７の開状態を維持している。
【００４１】
住戸内で火災が発生した場合には住戸受信機１８からの火災信号Ｅ２の移報に基づき火災信号有りを判別し、制御弁７の開状態を維持する。このようにして火災信号Ｅ２がオンした後、火災による熱を受けてスプリンクラーヘッド１０が作動するとステップＳ１で流水検知信号Ｅ１があることが判別され、ステップＳ５に進んで主要電源遮断処理を行い、住戸内で使用している電化製品に対する通電を遮断する。続いてステップＳ６で火災信号有りが判別されステップＳ２で制御弁の開状態が維持される。
【００４２】
作動したスプリンクラーヘッドからの消火用水の散水により火災に対し消火が確認されるとスプリンクラー制御盤１６に設けている緊急停止スイッチ２７が押されることからステップＳ３の緊急停止スイッチのオンを判別してステップＳ４に進み制御弁７を閉状態に制御し、スプリンクラーヘッド１０からの放水を停止する。
【００４３】
一方スプリンクラーヘッド１０に物があたって誤作動したような場合にはステップＳ１で流水検知信号有りが判別されることから、ステップＳ５に進み商用電源遮断をまず行う。これによってスプリンクラーヘッド１０が誤作動により散水しても住戸内にある通電中の電化製品に対する電源供給が遮断されることで誤動作で水がかかっても電化製品における通電中の故障を最小限に抑えることができる。
【００４４】
続いてステップＳ６で火災信号Ｅ２の有無をチェックするが、スプリンクラーヘッド１０の誤作動にあっては火災信号Ｅ２はオフであることからステップＳ７に進み障害信号Ｅ５の有無をチェックする。障害信号Ｅ５が無ければステップＳ４に進み、スプリンクラーヘッド１０が火災によらず破損により誤作動する場合であることから散水を停止させる。
【００４５】
一方、ステップＳ７で障害信号Ｅ５が出力されていた場合には、実火災にもかかわらず火災受信機側の生涯で火災信号が出力されず放水できないことを防ぐため、ステップＳ２で制御弁７の開状態を維持する。
【００４６】
図７は作動時に作動信号を外部出力するスプリンクラーヘッドの実施形態であり、このスプリンクラーヘッドから外部出力される作動信号を図１の電源遮断部２３に供給することで、防護区画に対する商用電源の供給を遮断する。
【００４７】
図７において、スプリンクラーヘッド１０は、取付金具１１２により天井１１４の取付穴１１６に装着されている。スプリンクラーヘッド本体１１８の上部は分岐管１２０に接続した立下り管１２２の端部にねじ込まれ、またスプリンクラーヘッド本体１１８の中央部に感熱分解部１２４を組込み、上部のガスケット（弁部材）１２６を支持して放水穴を閉鎖している。
【００４８】
感熱分解部１２４はガラス管内に、火災時の温度上昇によって膨張した結果、所定の作動温度でガラス管が破壊するような液体を封入した速動型の感熱分解部を使用している。この速動型の感熱分解部１２４の作動温度は、例えば７４℃に設定されている。
【００４９】
スプリンクラーヘッド本体１１８の下端部にはデフレクター１２８が固定され、デフレクター１２８の下側に皿状のカパーブレート１３０が装着されている。即ち、カパープレート１３０の内側の３ケ所に略Ｌ字型の合成樹脂片１３３が間にバネ板を介して低温ハンダにより固定されており、この合成樹脂片１３３によりカパープレート１３０をデフレクター１２８に装着する。
【００５０】
低温ハンダの作動温度（溶融温度）はスプリンクラーヘッド本体１１８の作動温度、即ち感熱分解部１２４の作動温度より低い作動温度に設定されている。例えば感熟分解部１２４の作動温度を７４℃とすると、低温ハンダの作動温度は６８℃に設定されている。
【００５１】
このようなカパープレート１３０を傭えたスプリンクラーヘッド１０に対し本発明にあっては、取付金具１１２の右側下部に示すようにマイクロスイッチ１３４が取付けられ、マイクロスイッチ１３４の先端からカバープレート１３０の内面にスイッチノブ１３６が伸びており、スイッチノブ１３６は図示の組込み状態でマイクロスイッチ１３４側に押込まれ  て内部のスイッチ接点をオフとしており、この状態で火災による熱を受けて低温ハンダが溶けバネ板の力で合成樹脂片１３３が外れてカバープレート１３０が落下すると、スイッチノブ１３６の係止が解除されて下方に突出することでマイクロスイッチ１３４に内蔵したスイッチ接点をオンし、作動信号を図１の住戸配電設備２２に設けた電源遮断部２３に供給することで、防護区画に対する商用電源の供給を遮断する。
【００５２】
図８は作動時に作動信号を外部出力するスプリンクラーヘッドの他の実施形態であり、このスプリンクラーヘッドから外部出力される作動信号を図１の電源遮断部２３に供給することで、防護区画に対する商用電源の供給を遮断する。
【００５３】
図８のスプリンクラ一へツド１０において、２１２はへツド本体であり、分岐管に接続された立下り管２１５にねじ込み固定される。ヘッド本体２１２の開口部にはパッキン２１４を介して弁体２１６が配置され、弁体２１６の下にデフレクター２１８を配置し、更にサドル２２０を設けている。
【００５４】
デフレクター２１８の周縁は上方に屈曲され、ガイドリング２２２を介してへツド本体２１２側との間にスプリング２２３を入れている。サドル２２０の下方には一対のレバー２２４の上部の屈曲部の先端が当接している。
【００５５】
一対のレバー２２４の上部の間には支持板２２６が組み込まれている。この支持板２２６は、中央にネジ穴を有すると共に左右に矩形の係止溝を形成しており、この係止溝に外側からレバー２２４が入っている。支持板２２６の下側にはシリンダ２２８が配置され、シリンダ２２８の中に低温ハンダ２３０を介してプランジャ２３２の先端が位置している。
【００５６】
プランジャ２３２は下側の段部に両側から一対の天秤２３４の先端を係合しており、天秤２３４の外側はレバー２２４の下側の開口部に嶺め込まれている。シリンダ２２８の上部となる支持板２２６のネジ穴には止ネジ２３６がねじ込まれ、シリンダ２２８の端面に形成したザグリ穴を押接している。プランジャ２３２の下側にはネジ２３８によりキャップ状の集熱板２４０が固着されている。
【００５７】
更に、一対のガイドピン２４２がへツド本体２１２側から下げられており、ガイドピン２４２にはデフレクター２１８が摺動自在に嵌め込まれている。上部のパッキン２１４から下部の集熱板２４０まで至る機構構造は、フレーム２４４のへツド本体２１２の下部に対するねじ込みで組込固定される。
【００５８】
このフレーム２４４のへツド本体２１２による組立荷重によりサドル２２０に先端を当接したレバー２２４には、組立荷重が作用している。
【００５９】
即ち、上部からの組立荷重はレバー上部の屈曲先端に作用し、一方、下側からの組立荷重は荷重の外側に作用し、その結果、レバー２２４は外側に開こうとする回転モーメントを受けており、この回転モーメントはプランジャ２３２に係止された天秤２３４により阻止されている。従って、本実施形態のスプリンクラーヘッド１０は、集熱板２４０による火災の熱を受けて低温ハンダ２３０が溶融温度に達すると、低温ハンダ２３０が流れ出してプランジャ２３２が上方に移動することによる天秤２３４の係止がシリンダ２２８とプランジャ２３２の隙間から解除され、天秤２３４が外れることでレバー２２４の係止も解除され、天秤２３４及びレバー２２４が外れて落下し、これに伴いサドル２２０より下側の部材は全て落下する。
【００６０】
このようにしてスプリンクラーヘッド１０の作動が行なわれると、サドル２２０により上部に支持されていたデフレクター２１８がスプリング２２４の力で落下し、ガイドピン２４２の先端位置に保持される。同時に、パッキン２１４及び弁体２１６も落下し、ヘッド本体２１２の開口部が開放される。
このような構造のスプリンクラーヘッド１０は天井２４６の取付穴２４８から先端を突出して配置され、フレーム２４４の部分にシーリングプレート２５０を装着して取付穴２４８との隙間を塞いでいる。本発明にあっては、スプリンクラーヘッド１０のシーリングプレート２５０の背後にへツド本体２１２の下端に固着した保持リング２５２による支持をもってスイッチングユニット２５４を設けている。
【００６１】
またスイッチングユニット２５４の近傍のシーリングプレート２５０に開口部２５５を形成し、熱気流及び消火用水を受け易くする。更に、シーリングプレート２５０と天井２４６との間にも隙間が設けられ、熱気流が入り易くしている。スイッチングユニット２５４はスプリンクラーヘッド１０の作動温度、即ち低温ハンダ２３０の作動温度より低い温度で作動して作動信号を図１の電源遮断部２３に送出する。
【００６２】
スイッチングユニット２５４は上部に取り出された一対のリード端子２５６−１，２５６−２により保持リング２５２内で上部から引き込まれた一対の信号線２５８に接続されている。
【００６３】
スイッチングユニット５４の内部には円板状のバイメタルが組み込まれており、バイメタルは非作動温度で例えば上向きに屈曲しているが、スプリンクラーヘッドの作動温度より低い所定の作動温度に達すると反対向きに切り替わり、スイッチ接点にオンして作動信号を出力する。この作動信号は図１の住戸配電設備２２に設けた電源遮断部２３に供給され、防護区画に対する商用電源の供給を遮断する。この作動信号を受信した制御盤は、別途設けた復旧スイッチが操作されるまで保持され、電源遮断を維持する。
【００６４】
尚、上記の実施形態は集合住宅の各住戸を防護区画とするスプリンクラー消火設備を例にとるものであったが、本発明はこれに限定されず火災受信盤やスプリンクラー制御盤を監視室などに集中的に設けて構成されたビル施設に適用することもできる。
【００６５】
また上記の実施形態にあっては、スプリンクラーヘッド１０に対する分岐管に流水検知装置８と制御弁７の順に設けているが、逆に制御弁７及び流水検知装置８の順に設けても良い。また制御弁は連動弁に限らず電磁弁など配管路の開閉をできる弁構造のものであれば良い。
【００６６】
また上記の実施形態にあっては、スプリンクラーヘッドの誤作動による水損を防ぐために、分岐管に放水停止用の制御弁を設けているが、これに限らず、制御弁を備えていない一般のスプリンクラー消火設備にも適用でき、流水検知装置の流水検知信号をうけて電源供給が遮断できる構成であれば良い。
【００６７】
また本発明はその目的と利点を損なわない適宜の変形を含み、更に上記の実施形態に示した数値による限定は受けない。
【００６８】
更にスプリンクラー制御盤１６は各住戸ごとに設けなくてもよく、複数の防護区画をひとつのグループにまとめて制御を行うようにしても良い。更にまた、流水検知装置からの流水検知信号を受信するスプリンクラー制御盤の機能と、ブレーカーに設けて電源遮断部の機能は同一の盤内で構成しても良い。
【００６９】
また図７、図８のスプリンクラーヘッドが作動したことを出力する機構は、これらに限定されるものではなく、たとえば弁体が開いたことを検出して作動信号を出力するなどのスプリンクラーヘッドが作動したことを出力できる構成であれば良い。
【００７０】
【発明の効果】
以上説明してきたように本発明によれば、スプリンクラー誤作動或いは火災による流水検知装置から流水検知信号を受けた際に防護区画に対する商用電源の供給を遮断するようにしたため、防護区画で通電状態にある電化製品に対する電源供給が遮断されスプリンクラーヘッドから水がかかっても電化製品の破壊を未然に防止するか、最小限の被害に抑えることができる。
【００７１】
また電化製品の通電状態でスプリンクラーヘッドからの水がかかると電気的に短絡して焼損をおこし、極端な場合では水がかかることで新たに火災が起きてしまうことになるが、本発明による流水検知の電源供給の遮断でこのような二次的な火災を確実に防止することができる。
【図面の簡単な説明】
【図１】本発明の設備構成の説明図
【図２】図１の住戸側を取出した説明図
【図３】特定の系統について電源を遮断する図１の住戸配電設備の説明図
【図４】全系統の電源を遮断する図１の住戸配電設備の説明図
【図５】スプリンクラー制御盤で電源遮断を制御する実施形態の説明図
【図６】電源遮断制御を含む図５のスプリンクラー制御盤による制御処理のフローチャート
【図７】本発明で使用される作動信号を外部出力するスプリンクラーヘッドの実施形態を示した説明図
【図８】本発明で使用される作動信号を外部出力するスプリンクラーヘッドの他の実施形態を示した説明図
【符号の説明】
１：消火ポンプ
２：モータ
３：水源水槽
４：給水本管
５：高架水槽
６：分岐管
７：制御弁
７ａ：バイパス弁
８：流水検知装置
８ａ：流水検知スイッチ
９：感知器回線
１０：スプリンクラーヘッド
１１：末端試験弁
１２：オリフィス
１３：圧力タンク
１４：圧力スイッチ
１５：ポンプ制御盤
１６：スプリンクラー制御盤
１７：圧力スイッチ
１８：住戸受信盤（火災受信盤）
１９：中継器
２０：火災感知器
２１：住棟受信機
２２：住戸配電設備
２３：電源遮断部
２４：制御回路
２５：終端抵抗
２６：擬似障害発生スイッチ
２７：緊急停止スイッチ
２８：電源遮断リレー
２８ａ，２８ｂ：リレー接点
２９：メインブレーカ
３０，３０ａ，３０ｂ：ブレーカ
３２：ブレーカパネル
３３：照明
３４：コンセント
３５：エアコン
３６：ＴＶ
３７：電源遮断スイッチ
４０：端子ボックス
１３４：マイクロスイッチ
２５４：スイッチングユニット
【図１】
2004283286.tif 000003
【図２】
2004283286.tif 000004
【図３】
2004283286.tif 000005
【図４】
2004283286.tif 000006
【図５】
2004283286.tif 000007
【図６】
2004283286.tif 000008
【図７】
2004283286.tif 000009
【図８】
2004283286.tif 000010